(57)【要約】【課題】内部に蓄積する熱気と湿気を外部に効率よく放散することができ、しかも雨水が内部に侵入せず、常に快適な状態に保てる布帛及び被服を提供する。               【解決手段】上下に配置された上段布帛の下端部と下段布帛の上端部の重ね合せ部の間に、メッシュ布帛で形成された四角筒状の収納空間の四つの角部を該収納空間より幅広の帯状の上下段補助布帛に縫着して、該収納空間内に細幅の三次元立体編物を、その上面編地が上段補助布帛側、下面編地が下段補助布帛側となるように収納した通気部材ユニットを配置するとともに、該帯状の上段補助布帛の上側端部を上段布帛、下側端部を上段布帛の下端部と、また、帯状の下段補助布帛の上側端部を下段布帛の上端部、下側端部を下段布帛と夫々接合して、該下段補助布帛の上端部と上段布帛との間に第一の通気口、該上段布帛の下端部と下段布帛との間に第二の通気口を設けたことを特徴とする。【選択図】図９
2015108203.tif 000002
【特許請求の範囲】
【請求項１】
上下に配置された上段布帛の下端部と下段布帛の上端部の重ね合せ部の間に、メッシュ布帛で形成された四角筒状の収納空間の四つの角部を該収納空間より幅広の帯状の上段補助布帛と上角部を該収納空間より幅広の帯状の下段補助布帛に縫着して、該収納空間内に細幅の三次元立体編物を、その上面編地が上段補助布帛側、下面編地が下段補助布帛側となるように収納した通気部材ユニットを配置するとともに、該帯状の上段補助布帛の上側端部を上段布帛と、下側端部を上段布帛の下端部と接合し、帯状の下段補助布帛の上側端部を下段布帛の上端部と、下側端部を下段布帛と接合、または下側補助布帛の下端部を下段布帛の上端部と接合して、該下段補助布帛の上端部と上段布帛との間に第一の通気口、該上段布帛の下端部と下段布帛との間に第二の通気口を設けたことを特徴とする通気構造を有する布帛。
【請求項２】
該帯状の下段補助布帛の上端部が玉縁処理されていることを特徴とする請求項１記載の通
気構造を有する布帛。
【請求項３】
該上段補助布帛の下端部、または上段布帛の下端部と、下段補助布帛の下端部、または下
段布帛にスライドファスナーの左右の支持テープを各々取着したことを特徴とする請求項
１乃至２のいずれか１つに記載の通気構造を有する布帛。
【請求項４】
請求項１乃至３のいずれか１つに記載の通気構造を有する布帛に用いられる通気部材ユニ
ット。
【請求項５】
請求項１乃至４のいずれか１つに記載の通気構造を有する布帛を用いた衣服。
【発明の詳細な説明】
【技術分野】
【０００１】
本発明は、布帛の構造を変えることで機能性を高めた通気構造を有する布帛及び衣服に関するものである。
【０００２】
本発明の通気構造を有する布帛は、内部に蓄積する熱気と湿気を外部に効率よく放散することができるため、作業着、ワイシャツ、ユニフォーム、ジャンパー、コート、カジュアルウエア、運動用衣服、学生服、スポーツウエア、白衣、アンダーウエアなどの衣服に使用される。
特に、繊維織物にポリウレタンやポリエステルなどの樹脂をコーティングした防水性布帛、ナイロン、ポリエステルなどの樹脂シート、ゴムシートなどの防水性布帛を使用した本発明の通気構造を有する衣服用布帛は、例えばレインコート、レインスーツ、各種作業着、ヤッケ、アノラック、ウインドブレーカー、トレーナー、ポンチョ、登山衣、ブルゾンなどの各種衣服に好適に使用される。
以下の説明では、ポリエステル系繊維、ポリビニルアルコール系繊維、綿・麻などの天然繊維、レーヨンなどの再生繊維等を使用した織物、編物などの繊維製品、該繊維製品に樹脂をコーティン，または樹脂フィルムを積層したシート、ナイロン、ポリエステル、ポリエチレン、ポリプロピレン等の樹脂シート、又はそれらを積層した樹脂シート、繊維製品にウレタンコーティング、ウレタンラミネートあるいはアクリルコーティングにより防湿加工を施した防水透湿性の複合シート、ゴムシートなどを総称して布帛という。
【背景技術】
【０００３】
従来より、作業服やワイシャツ等の衣服は暑い時期、特にシャツなどのアンダーウエアを着用した場合には発汗し易く、衣服内部が蒸れて不快感を生じるとともに、発汗して蒸れた状態で冷房設備が備えられた建物内に入ると、急激に体温が低下して体に多大な負担をかけるため通気性や透湿性を備えた衣服が要望されている。
特に、雨天に着用するレインコート、レインスーツなどは、通気性が乏しく、内部が蒸れて発汗して不快感を生じるため、防水性とともに、通気性、透湿性の機能を備えていることが強く要望されている。
近年、防水性と透湿性の両方の機能を備えた衣服用の布帛として、防水透湿性フィルムを布帛に積層した防水透湿性布帛や、防水透湿性フィルムの表面に織物の表生地を積層し、その裏面に裏生地を積層した防水透湿性を有する布帛などが提案されている(特許文献１、特許文献２、特許文献３参照)。
【０００４】
しかしながら、従来の防水透湿性を有する布帛には、次のような問題があった
（１）布帛の表面に水膜ができると通気孔が塞がれて透湿性が低下する。例えば、防水透湿性布帛を使用した衣服は、長年の使用により衣服表面の撥水性能が低下して表面に水膜ができたり、また、綿生地のような保水性のアンダーウエアを着用した場合には、綿生地が汗を吸って濡れて水膜の役割をして透湿性を阻害する。
（２）防水透湿性を有する布服は、衣服の内部で発生した水蒸気が外気圧以上に上昇するまで衣服を透過できないため、蒸気圧が上昇するまで衣服内部は蒸れた状態が維持される。
（３）水透湿性フィルムの強度を上げるためにフィルムに織物、編物等の布帛を積層すると防水透湿性布帛の製造コストがアップする。
（４）防水透湿性布帛を使用した雨衣、例えばスポーツ用の雨衣では、布帛に通気性がないため風であおられた時などに布帛同士が擦れて音が発生するため耳障りである。特にゴルフではスイング時の耳障りな音と雨衣の上衣が体にまとわりつくことでスムースなスイングができない。
【０００５】
本発明者らは、従来の防水防湿性を有する布帛及び該布帛を使用した衣服を徹底的に検討した結果、従来の防水透湿性布帛を使用した衣服、特に雨衣などでは布帛に通気性がないため基本的に上記問題点の解決が困難であり、通気性は布帛構造によってのみ改善されるとの結論に到達し、布帛に通気口を設け、かつ該通気口からの雨水侵入を防止することで
（１）通気性が向上し、かつ、通気口から流出する空気が衣服内部の湿気を同伴するため蒸れも解消できる。
（２）通気口からの雨水の侵入を確実に阻止する構造を採用することで雨衣の防水性が確保される。
ことを見出し、更に検討した結果、布帛を上下に分割し、該分割された上段布帛の下部と下段布帛の上部を重ね、かつ、該下段布帛の上端部を外側に折り返して雨水浸入防止用堰を形成し、該折り返し片と上段布帛の端部を、例えば３次元立体織物などの通気性の連結手段で連結して、該折り返し片と上段布帛との間に第一の通気口、該上段布帛の端部と下段布帛との間に第二の通気口を設け、該上段布帛の端部と重ね合せ部より下方の下段布帛を細幅の布帛で連結した通気性衣服を提案した（特許文献４参照）。
【０００６】
本発明者らが提案した、通気口を有する通気性衣服、例えば雨衣は、
（１）第二の通気口から流入する雨水が雨水浸入防止用堰で阻止される。
（２）第二の通気口から流入する空気が内部で発生する水蒸気を伴って第一の通気口から外部に排出される。
（３）上段布帛の端部と重ね合せ部より下方の下段布帛を細い布帛で連結することで、風の強い時に上段布帛の端部の捲き上がりが防止される。
など布帛構造によって防水防湿性に加えて通気性も有する雨衣の画期的な提案であったが、雨衣の装着者が前屈みになったり、両手を前で組むと背面に設けられた重ね合せ部の上段布帛が横方向に引っ張られて第一及び第二の通気口を塞ぐことがある。通気口が塞がれると通気性低下とともに透湿性も低下する。また下段布帛を引っ張ると下段布帛が垂れ下がって型崩れすることがある。更に、連結手段に使用する不織布や三次元立体編物は厚くて、柔らかいため上段布帛との縫着が困難で、例え縫着できたとしても縫着ラインに発生する凹凸と、使用後に乾燥した縫着糸の収縮により発生する皺が雨衣の表面に現れて外観を著しく損なうなどの問題があった。
【先行技術文献】
【特許文献】
【０００７】
【特許文献１】特開２００２−６１００９号公報
【特許文献２】特開昭６０−３９０１４号公報
【特許文献３】特開平１０−２９８８６９号公報
【特許文献４】特許第４６９７５６０号公報
【発明の概要】
【発明が解決しようとする課題】
【０００８】
したがって、本発明の第一の目的は、三次元立体編物と布帛との接合が容易で、しかも接合時に縫着ラインに凹凸が発生せず、また縫着糸が収縮しても縫着ラインに発生する皺が布帛の表面に現れない通気構造を有する布帛及び衣服を提供することである。
本発明の第二の目的は、該通気構造を有する布帛を使用した雨衣の装着者が前屈みなどの姿勢をとっても通気口が閉塞されて通気性や透湿性が損なわれることのない通気構造を有する布帛及び衣服を提供することである。
本発明の第三の目的は、下段布帛の垂れ下がりによる型崩れのない通気構造を有する布帛及び衣服を提供することである。
本発明の第四の目的は、布帛の撥水性が低下して布帛の表面に水膜ができたとしても、第一の開口から水膜が侵入しない通気構造を有する布帛及び衣服を提供することである。
本発明の第五の目的は、製造が容易で大量生産可能な安価な通気構造を有する布帛及び衣服を提供することである。
【課題を解決するための手段】
【０００９】
本発明者らは、上記目的を達成するため鋭意検討した結果、本発明に到達したものである。すなわち、本発明は、
（１）上下に配置された上段布帛の下端部と下段布帛の上端部の重ね合せ部の間に、メッシュ布帛で形成された四角筒状の収納空間の四つの角部を該収納空間より幅広の帯状の上段補助布帛と上角部を該収納空間より幅広の帯状の下段補助布帛に縫着して、該収納空間内に細幅の三次元立体編物を、その上面編地が上段補助布帛側、下面編地が下段補助布帛側となるように収納した通気部材ユニットを配置するとともに、該帯状の上段補助布帛の上側端部を上段布帛と、下側端部を上段布帛の下端部と接合し、帯状の下段補助布帛の上側端部を下段布帛の上端部と、下側端部を下段布帛と接合、または下側補助布帛の下端部を下段布帛の上端部と接合して、該下段補助布帛の上端部と上段布帛との間に第一の通気口、該上段布帛の下端部と下段布帛との間に第二の通気口を設けたことを特徴とする通気構造を有する布帛である。
（２）該帯状の下段補助布帛の上端部が玉縁処理されていることを特徴とする上記（１）記載の通気構造を有する布帛である。
（３）該上段補助布帛の下端部、または上段布帛の下端部と、下段補助布帛の下端部、ま
たは下段布帛にスライドファスナーの左右の支持テープを各々取着したことを特徴とする
上記（１）乃至（２）のいずれか１つに記載の通気構造を有する布帛である。
（４）請求項（１）乃至（３）のいずれか１つに記載の通気構造を有する布帛に用いられ
る通気部材ユニットである。
（５）請求項（１）乃至（４）のいずれか１つに記載の通気構造を有する布帛を用いた衣
服である。
【発明の効果】
【００１０】
本発明の通気構造を有する布帛は、
・上面編地と下面編地の間から侵入する雨水は上下編地を連結する多数の疎水性連結
糸に接触して捕捉されるため布帛内部への雨水の侵入が防止できる。
・三次元立体編物の上面編地が接合された上段補助布帛端部を上段布帛に接合するた
め、上段布帛の表面に皴や三次元立体編物の表面凹凸が現れない。
・上段布帛と下段布帛の間に配置される通気部材ユニットを予め製作しておくことで
通気構造を有する布帛の製作が容易となり、コストダウンが可能である。
・薄い布帛の場合は下段補助布帛の上端を玉縁処理して剛性を付与することで型崩れ
が防止できる。
・本発明の通気構造を有する衣服用布帛を使用した衣服は生体に対する負担が少なく、
疲労が少ない。
などの優れた効果を奏している。
【図面の簡単な説明】
【００１１】
【図１】通気構造を有する布帛（１）の模式図
【図２】通気部材ユニットの模式図
【図３】通気構造を有する布帛（２）の模式図
【図４】通気構造を有する布帛（３）の模式図
【図５】通気構造を有する布帛（４）の模式図
【図６】図６の通気部材ユニットの製作説明図
【図７】スライドファスナーを取り付けた重ね合せ部の模式図
【図８】既製の衣服への通気部材ユニットの取り付け模式図
【図９】通気構造を有する布帛（１）の使用状態の説明図
【図１０】雨衣（１）の前面模式図
【図１１】雨衣（１）の背面模式図
【図１２】雨衣（２）の前面模式図
【図１３】雨衣（２）の背面模式図
【図１４】雨衣（３）の前面模式図
【図１５】雨衣（３）の背面模式図
【図１６】ズボンの模式図
【図１７】作業着の前面模式図
【図１８】作業着の背面模式図
【図１９】ジャンバーの前面模式図
【図２０】ジャンバーの背面模式図
【図２１】ランニングウエアの前面模式図
【図２２】袖口の模式図
【発明を実施するための形態】
【実施例】
【００１２】
次に本発明の通気構造を有する布帛の一実施例を図面にて説明する。図１は本発明の通気構造を有する布帛１の説明図であり、該布帛１は上段布帛２の下部と下段布帛３の上部の重ね合せ部４に通気部材ユニット５が配置されている。Ａは下段補助布帛の上端部と上段布帛２との間に形成された第一の通気口であり、Ｂは上段布帛２の下端部と下段布帛３との間に形成された第二の通気口である。
通気部材ユニット５は図２（1）に示すようにメッシュ布帛１２で形成された四角筒状の収納空間の４つの角部のうち、上面側の上下部の角部が該収納空間より幅広の帯状の上段補助布帛１３に接合され、下面側の上下部の角部が該収納空間より幅広の帯状の下段補助布帛１４に接合されている。該収納空間内に細幅の三次元立体編物１０の上面編地８が上段補助布帛側、下面編地９が下段補助布帛側となるように収納されている。
通気部材ユニット５の上下段補助布帛１３、１４は、その両端に、例えば５〜１５ｍｍ程度の接合部１５を有するため細幅状三次元立体編物１０よりも幅広である。
なお、本発明では、縫着、接着、溶着などを総称して接合という。
【００１３】
メッシュ布帛１２で形成された四角筒状の収納空間に、上面編地８と下面編地９を連結する多数の連結糸１１からなる疎水性の帯状三次元立体編物１０が収納されている。
また、本発明の通気構造を有する布帛１を雨衣などに適用すると、通気部材ユニット５を上下段布帛２、３と接合する際に、左右両端部に空隙ができる。雨衣以外の衣服は空隙があっても構わないが、雨衣ではその空隙から雨水が内部に侵入する恐れがある。空隙の発生を防止するため、図２（２）に示すように、通気部材ユニット５を製作する際に、（１）左右両側部分の厚さを漸減させた三次元立体編物１０を用いて、これを上下段補助布帛１３、１４で挟んで接合する。（２）三次元立体編物１０の左右両端部６を圧縮させた状態で接合する。ことで空隙の発生を防ぐことができる。図２（２）は（２）の方法であり、上下補助布帛の左側部近傍で接合している。一点鎖線は接合ライン７であり、二条の接合ラインを示している。
【００１４】
図１に示すように、上段補助布帛１３の上端部は、上段布帛２と接合されている。縫着の場合は、更に、縫着ラインからの雨水の浸透を防ぐため、上段補助布帛１３の裏面側の縫着ラインの上から目止めテープ（図示せず）が貼着される。上段補助布帛１３の下端部は、上段布帛２の下端部を内側に短く折り返した折り返し片１７と接合されている。重ね合せ部４は、上段布帛２と上段補助布帛１３の二重構造のため、三次元立体編物の貼着部に発生する上段補助布帛１３の皺や凹凸が上段布帛２の表面に現れることがなく、外観を損ねることはない。
【００１５】
下段補助布帛１４の下端部は下段布帛３の上端部と接合されている。下段補助布帛１４の上端部は型崩れ防止のため図１のように玉縁処理、例えばパイピング１６を施すのが好ましい。パイピング１６は、下段補助布帛１４の先端部にバイアス布、テープ、リボン、撚糸やコードなどの芯材を包むように施される。玉縁処理されたテープ、例えばパイピングテープなどを下段布帛３の上端に取付けてもよい。布帛の先端が玉縁処理されているため先端部が硬くなり、下段布帛３が下方に引っ張られたとしても布帛の型崩れが防げる。しかし、重ね合せ部４が着用者の背中に当たって着心地が悪くなる恐れがある。そのため柔らかい布帛の場合は玉縁の芯材に柔らかい芯材、例えば糸芯などを使用することが好ましい。厚くて剛性のある布帛は型崩れの恐れがないため玉縁処理を施さなくてもよい。
【００１６】
通気部材ユニット５に使用される三次元立体編物１０は、通気抵抗が少なく、かつ雨摘の透過を阻止するために、厚さが５〜１５ｍｍ、好ましくは８〜１０ｍｍ、幅が１０〜４０ｍｍ、好ましくは１５〜２５ｍｍの三次元立体編物が使用される。厚さが５ｍｍ以下では通気面積が少ない。また、厚さは厚い程望ましいが、厚さ１５ｍｍ以上の立体織物は市販されていない。三次元立体編物１０の幅が１０ｍｍ以下では立体織物の切断が困難である。幅が４０ｍｍ以上では通気性が低下して実用的でない。三次元立体編物の厚さと幅は着心地やデザインなどを考慮して決定される。
【００１７】
三次元立体編物１０は、表裏二層の編地を連結糸で連結した構造であり、通常ダブルラッセル編機、ダブルトリコット編機、ダブル丸編機、Ｖベッドを有する横編機等で編成される。表裏面二層の編地を構成する糸としてはポリエステル系繊維、ポリエチレン繊維、ポリプロピレン繊維、ポリ塩化ビニル繊維、ポリ塩化ビニリデン繊維などの疎水性の繊維が用いられる。また表裏面二層の編地を連結する連結糸は上記表裏面二層の編地と同じ繊維が使用されるが、通常圧縮回復率の優れたポリエステル系繊維が好ましく用いられる。
【００１８】
図３は、上段補助布帛１３の上下端部は、上段布帛２の下端部を内側に長く折返した折り返し片１７と接合されている。折返し片の上端は目止めテープで上段布帛に接合されている。下段補助布帛１４と下段布帛３の接合は図１と同じであり説明を省略する。
図４は通気構造を有する布帛の他の例であり、下段補助布帛１４の上端部に下段布帛３の上端部が接合され、かつ、下段補助布帛１４の下端部も下段布帛３に接合されている。上段補助布帛１３と上段布帛２の接合は図１と同じであり説明を省略する。
【００１９】
図５は、通気構想を有する布帛の上段布帛２と上段補助布帛１３の接合例であり、上段布帛２の下端部を内側に長く折返した折り返し片１７の先端部と上段補助布帛１３の下端部を接合している。上段補助布帛１３の上端部は折り返し片１７を挟んで上段布帛２と接合されている。縫着の場合は、縫着ラインの裏側には目止めテープが貼着される。下段補助布帛１４と下段布帛３の接合は図１と同じであり説明を省略する。
【００２０】
メッシュ布帛１９は三次元立体編物１０の紫外線による劣化を防止するため、紫外線が透過し難い、例えば黒や紺色などの暗黒色系統の布帛が好ましい。暗黒色系統の色でない場合は通気部材ユニット５が目立たない色、例えば上下段布帛と類似した色とすることが好ましい。
【００２１】
次に、通気構造を有する布帛１に使用する通気部材ユニット５の製作方法の一例を図６にて説明する。まず、
（１）上下段補助布帛１３、１４を上下段布帛との縫着部に相当する端部を残して折り曲げ、該折り曲げ部を対向させて三次元立体編物１０の厚みに相当する間隔をあけて配置する。厚い三次元立体編物１０の場合は折り曲げなくてもよい。
（２）次に、該間隔を跨ぐようにその上部にメッシュ布帛１９を配置し、メッシュ布帛１９を四角筒状に形成した時の四隅となる位置(a),(b),(c),(d)でメッシュ布帛１９を上下段補助布帛１３、１４に接合する。
（３）その後、メッシュ布帛１９と下段補助布帛１４の両端の接合間に三次元立体編物１０を積層する。その際、三次元立体編物１０の下面編地９をメッシュ布帛１９に部分的に接着すると通気部材ユニット５の製作が容易となる。
（４）三次元立体編物１０を積層した上段補助布帛１３を折り曲げて三次元立体編物１０に積層する。その際、三次元立体編物１０の上面編地８もメッシュ布帛１９に部分的に接着すると通気部材ユニット５の製作が容易となる。
（５）三次元立体編物１０の下面編地９側のメッシュ布帛１９の端部を三次元立体編物１０に沿って折り曲げ、その折り曲げ部(e)と先端部(f)で下段補助布帛１４と接合する。下段補助布帛１４の上端はパイピングを施こしてもよい。
一方、予め上下段補助布帛１３、１４とメッシュ布帛１９で四角筒状の収納空間を形成した後、該空間内に三次元立体編物１０を収容することで通気部材ユニット５を製造することもできる。その場合、三次元立体編物１０を収納空間に収容することは難しいが、三次元立体編物１０を収容したガイド筒を収納空間に挿入した後、ガイド筒のみを抜き取ることで通気部材ユニット５が製造できる。
【００２２】
図７は、通気構造を有する布帛１の第二の通気口Ｂをスライドファスナー２０によって、開閉、又は開口幅が調整可能な重ね合せ部４の詳細図であり、図１に示す通気構造を有する布帛１を構成する上段補助布帛１３の下端部と、下段補助布帛１４の下端部に各々スライドファスナーの一対の支持テープ２０（１）、２０（２）が取り付けられている。支持テープ２０（１）、２０（２）は第二の通気口Ｂから流入する雨摘が支持テープと布帛との接合部に溜まらないように下向きに取付けることが好ましい。また、スライドファスナーのスライダー（図示せず）が取り付けられている。該スライダーは二個取り付けると、第二の通気口Ｂの開口位置及び開口幅が調整できて好ましい。第二の通気口Ｂを開閉したり、開口幅を調整することで、内部に流入、又は流出する空気量が調整できる。
【００２３】
図８は、通気構造のない既製の雨衣などの衣服へ通気部材ユニットを取り付けた通気構造を有する衣服の例であり、通気部材ユニットは次のように取り付けることができる。まず、
（１）衣服の通気部材ユニット取り付け位置をカッターなどで直線状に切断して布帛を上下段布帛２、３に分割した後、
（２）通気部材ユニット１を該切断部から挿入して、上段補助布帛１３の下端を上段布帛２の下端部に接合する。上段補助布帛１３の上端も、目止めテープ１８などで上段布帛２の裏面に接合する。
（３）次に、下段補助布帛１４は、その下端を上段布帛２の下端(切れ目)の位置より接合部の長さだけ長くして、下段布帛３の上端部を下段補助布帛１４の下端部に接合する。接合は縫着、溶着、接着などが採用されるが、両面接着テープを採用すれば容易に、かつ綺麗に接合できる。両面接着テープの場合には、接着前に接着面の表面層を除去すると強固な接着が可能である。
（４）雨衣の場合は、図２に示すように、通気部材ユニット１の上下に積層された上下段布帛２、３を通気部材ユニット１の両側端部を圧縮して上下方向に縫着する。
なお、上下段補助布帛１３、１４は衣服に使用された布帛と同一の布帛を使用することが好ましい。
上記方法で通気部材ユニット５を取り付けると既製の衣服が容易に通気構造を有する衣服に変えられる。
【００２４】
図９は図１の通気構造を有する布帛１を使用した雨衣の説明図であり、雨摘Ｗは上下段布帛２、３に沿って流下し、雨摘を含む外気は矢印Ｘのように第二の開口Ｂから三次元立体編物１０を構成する多数の連結糸１１に垂直方向から内部に侵入するが、多数の連結糸１１で雨滴が捕捉されて雨衣の内部への侵入が阻止される。外気はメッシュ布帛１２から三次元立体編物１０の連結糸間を通過して雨衣内部に侵入する。雨衣内部に流入した外気は雨衣内の暖かく湿った空気を同伴しながら矢印Ｙのように第一の開口Ａから三次元立体編物１０を経て外部に排出される。下段補助布帛１４が三次元立体編物１０の全表面に貼着されているため、装着者が前屈みになった時や、布帛の撥水性が低下した時に雨滴の雨衣内部への侵入が阻止される。また、三次元立体編物１０の連結糸１１に垂直方向から流入する雨摘は疎水性の連結糸に付着し、更にその上に微細な雨滴が付着する現象の繰り返しにより微細な雨滴が集合して次第に大きく成長し、ついには、大きな雨滴の集合物（例えば直径２０〜１００μｍ）として外部に流れ出るため雨衣内部への雨滴の侵入を確実に阻止することができる。
【００２５】
本発明の通気構造を有する布帛１を使用した衣服は、衣服とシャツなどのアンダーウエアとの密着防止と、衣服着用時に重ね合せ部４に形成された第一の通気口Ａに手を引掛けないよう、布帛１の内側に通気性の裏地、例えばメッシュ布帛などを設けることが好ましい。通気性の裏地によりアンダーウエアと衣服との間に隙間が形成されて通気性が向上し、かつアンダーウエアとのべとつき等がなく清涼感を保つことができる。
【００２６】
図１０は本発明の通気構造を有する布帛１を使用した雨衣２１の前面模式図であり、左右の前身頃ａ，ａ’の上下二カ所に夫々重ね合せ部４が設けられている。また、左右の脇見頃ｂ、ｂ’の上部に通気部２４が設けられている。該通気部２４は多数の通気孔を設けていても、上下の布帛を重ね合わせて上下の布帛の隙間にメッシュ布帛や薄い三次元立体編物を設けてもよい。２５は左右の脇見頃に設けられた脇ポケットである。帽子２３は雨衣の首回りに予め取付けていても、ホックや面ファスナーなどで着脱自在に取付けてもよい。図１１は雨衣２１と帽子２３の背面模式図であり、後身頃２６の上下二カ所に重ね合せ部４が設けられている。下部重ね合せ部の上段布帛には再帰反射素材のパイピング２７が施されている。上部重ね合せ部は肩甲骨の近傍に設けるとことが好ましい。
また重ね合せ部４はベンチュレーション効果による通気性向上のため通常上下二カ所に設けられる。雨衣に着脱自在に取付けられる帽子２３の後方に空気流出用の重ね合わせ部４が設けられ、帽子の前面から帽子内に侵入する風を重ね合わせ部４から流出させて帽子が飛ばされることを防止している。帽子２３に設けられる重ね合せ部４は帽子の後方のほかに、両側の耳の近くに設けると外からの声や音を聞き取り易くなる。
【００２７】
図１２は、他の雨衣２１と帽子２３の前面模式図であり、警備など夜間作業用に適している。重ね合せ部４が左右の前身頃ａ，ａ`の上下二カ所に設けられている。また、左右の脇見頃ｂ、ｂ`の上部に図１０と同じ通気部２４が設けられている。２５は左右の脇見頃ｂ、ｂ`に設けられた脇ポケットであり、２８は左前身頃に設けられた胸ポケットである。２９は右袖の上部に設けられた袖ポケットである。上下の重ね合せ部４の上段布帛２には再帰反射素材のパイピング２７が施されている。また、左袖の上部に再帰反射素材のパイピング２７が三重に施されている。帽子２３は視界を確保するため透明である。図１３は雨衣２１と帽子２３の後面模式図であり、図９と同様に、後身頃２６の上下二カ所に重ね合せ部４が設けられ、上下部重ね合せ部４の下布帛に再帰反射素材のパイピング２７が施されている。雨衣に着脱自在に取付けられる帽子２３の後方に空気流出用の重ね合わせ部４が設けられている。
【００２８】
図１４は本発明の通気構造を有する布帛を使用した他の雨衣２１の前面模式図であり、左右の前身頃ａ，ａ`の上下二カ所に重ね合せ部４が設けられている。また、左右の脇見頃ｂ、ｂ`の上下二カ所にも重ね合せ部４が設けられ、袖にも重ね合せ部４が設けられている。図１５は背面の模式図であり、後身頃２６の上下二カ所に重ね合せ部４が設けられている。また、後身頃２６の上部重ね合せ部がハの字状に取付けられているため、雨衣の装着者が前屈みになったなどに発生する後見頃の突っ張りが少なく装着性が優れている。
なくの後身頃２６の下部重ね合せ部４の上段布帛の下端部が捲き上がらないように重ね合せ部４の中心で上下段布帛を縫着している。
【００２９】
図１６はズボン２９の前面をモデル的に示す模式図（１）、（２）である。ズボン２９では脚を動かし易いように重ね合せ部４を膝下部に設けるのが好ましい。重ね合せ部はズボンの全周であっても半周であってもよい。また、ベルト又はゴムライン２２の下部に、幅２〜３ｃｍのメッシュ布帛を胴回り全周、半周、あるいは長さ５〜１０ｃｍのメッシュ布帛を複数取り付けるか、または、内径６．５〜１５ｍｍのアイレットを、例えば５〜８個取り付けて重ね合せ部４から流入する外気の排出口としてもよい。メッシュ布帛を胴回り全周又は半周取り付ける場合は、ベルトラインの下部と上段布帛を細幅の布帛で連結し、メッシュ布帛を補強することが好ましい。ベルト付近に設けられたメッシュ布帛、又はアイレットは上着を着用すると隠れるため雨水が流入することはない。３１はポケットである。
（２）では、ズボンの上部ベルト芯縫付ラインから下方に傾斜した重ね合せ部４が設けられている。他は（１）と同じであり説明は省略する。
【００３０】
上着及びズボンに設けられた重ね合せ部４の位置と形状は、通気性の衣服の種類、着用者の身体の大きさ、着用場所、デザイン等を考慮して適宜決定される。また、各接合ラインには、日が暮れるのが早い雨天の日の安全性を確保するため、再帰反射素材のパイピングなどを施すことが好ましい。
【００３１】
図１７は本発明の通気構造を有する布帛を使用した作業着の前面模式図であり、左右の前身頃ａ，ａ`の上下二カ所に重ね合せ部４が設けられている。また、左右の袖に重ね合せ部４が設けられている。１７はスライドファスナーである。図１８は作業着の後面模式図であり、後身頃２６の上下二カ所に重ね合せ部４が設けられている。
【００３２】
図１９は本発明の通気構造を有する布帛を使用したジャンバーの前面模式図であり、左右の前身頃ａ，ａの上部に設けられた上部重ね合せ部４と袖下から斜め下方に伸びる重ね合せ部４が設けられている。図２０はジャンバーの後面模式図であり、後身頃２６の上部に重ね合せ部４が設けられ、前身頃と同様に袖下から斜め下方に伸びる重ね合せ部４が設けられている。
【００３３】
図２１は、ランニングウエアの前面模式図であり、上下３枚の布片からなる前身頃ａ及び左右の脇見頃ｂ、ｂ’で構成されている。また、前見頃の上下二カ所に重ね合せ部４が設けられている。上下の重ね合せ部４は後見頃にも同様に設けられている。ランニングウエアでは通気性を向上させるため通気性の裏地、例えばメッシュ布帛などを取り付けることが好ましい。
【００３４】
図２２は本発明の通気性の布帛を円筒状に加工した袖口３２の模式図であり、袖口３２は直径が先端方向に向けて漸次縮小されている。４は重ね合せ部であり、２、３は上下段布帛である。該重ね合せ部４は袖の全周囲、半周囲、あるいは周囲の一部に設けてもよい。また、袖口３２となる下段布帛３の先端に面ファスナー３３を取り付けると袖口３２の先端を手首に締め付けることができ袖口３２からの雨摘の侵入が阻止できる。面ファスナー３３の代わりに下段布帛の先端にリング状の空洞を設け、この空洞内にゴム又は細紐を挿入して袖口３２の先端を締め付けるようにしてもよい。
【産業上の利用可能性】
【００３５】
本発明の通気構造を有する布帛は、型崩れがなく、かつ通気性に優れ、蓄積する熱気と湿
気が外部に効率よく放散でき、しかも通気構造を構成する開口が圧迫されて閉止されない
ため、該布帛を用いた衣服は、作業服、ユニフォーム、カッターシャツ、ジャンバー、ワ
イシャツ、学生服等に使用される。
【符号の説明】
【００３６】
１  通気性の布帛
２  上段布帛      
３  下段布帛
４  重ね合せ部      
５  通気部材ユニット
８  上面編地      
９  下面編地
１０  三次元立体編物
１１  連結糸
１２  メッシュ布帛
１３  上段補助布帛
１４  下段補助布帛
１５  接合部
１６  玉縁処理
１７  折返し片
２１  雨衣                          
２３  帽子
２９  ズボン
３２  袖口
【図１】
2015108203.tif 000003
【図２】
2015108203.tif 000004
【図３】
2015108203.tif 000005
【図４】
2015108203.tif 000006
【図５】
2015108203.tif 000007
【図６】
2015108203.tif 000008
【図７】
2015108203.tif 000009
【図８】
2015108203.tif 000010
【図９】
2015108203.tif 000011
【図１０】
2015108203.tif 000012
【図１１】
2015108203.tif 000013
【図１２】
2015108203.tif 000014
【図１３】
2015108203.tif 000015
【図１４】
2015108203.tif 000016
【図１５】
2015108203.tif 000017
【図１６】
2015108203.tif 000018
【図１７】
2015108203.tif 000019
【図１８】
2015108203.tif 000020
【図１９】
2015108203.tif 000021
【図２０】
2015108203.tif 000022
【図２１】
2015108203.tif 000023
【図２２】
2015108203.tif 000024